(57)【要約】【課題】施工が容易な壁パネル接続構造と壁パネル接続方法を提供する。【解決手段】本発明は、床部材から略垂直に立ち上がる下部枠材と、下部枠材と略平行に設けられる上部枠材と、下部枠材と上部枠材とをそれぞれに略直交してつなぐスタッドとを有するものであって、スタッドは壁パネルと嵌合する嵌合部を有し、この嵌合部を用いて壁パネルを接続する壁パネル接続構造において、下部枠材とスタッドとを水平方向のある程度の位置の範囲で互いに係合する係合部を有し、スタッドは、上部枠材に一端を接続して、前記係合部により下部枠材に係合して、上部枠材とスタッド一端との接続点を中心に回動して前記嵌合部と壁パネルの嵌合する位置が合うように位置を調整し、スタッドの両側に前記嵌合部を介して壁パネルを接続してなることを特徴としている。【選択図】  図２
2004183235.tif 000002
【特許請求の範囲】
【請求項１】
床部材から略垂直に立ち上がる下部枠材と、下部枠材と略平行に設けられる上部枠材と、下部枠材と上部枠材とをそれぞれに略直交してつなぐスタッドとを有するものであって、スタッドは壁パネルと嵌合する嵌合部を有し、この嵌合部を用いて壁パネルを接続する壁パネル接続構造において、下部枠材とスタッドとを水平方向のある程度の位置の範囲で互いに係合する係合部を有し、スタッドは、上部枠材に一端を接続して、前記係合部により下部枠材に係合して、上部枠材とスタッド一端との接続点を中心に回動して前記嵌合部と壁パネルの嵌合する位置が合うように位置を調整し、スタッドの両側に前記嵌合部を介して壁パネルを接続してなる壁パネル接続構造。
【請求項２】
前記係合部は、係合部において固定する固定手段を有するものであることを特徴とする請求項１記載の壁パネル接続構造。
【請求項３】
前記固定手段は、ねじを有し、前記係合部は、このねじの外径よりも大きな貫通孔を有するものであることを特徴とする請求項２記載の壁パネル接続構造。
【請求項４】
前記固定手段は、前記係合部における摩擦力を用いるものであることを特徴とする請求項２記載の壁パネル接続構造。
【請求項５】
床部材から略垂直に立ち上がる下部枠材と、下部枠材と略平行に設けられる上部枠材と、下部枠材と上部枠材とをそれぞれに略直交してつなぐスタッドとを有するものであって、スタッドは壁パネルと嵌合する嵌合部を有し、この嵌合部を用いて壁パネルを接続する壁パネル接続方法において、下部枠材とスタッドとを水平方向のある程度の位置の範囲で互いに係合する係合部を有し、スタッドは、上部枠材に一端を接続して、前記係合部により下部枠材に係合して、上部枠材とスタッド一端との接続点を中心に回動して前記嵌合部と壁パネルの嵌合する位置が合うように位置を調整し、スタッドの両側に前記嵌合部を介して壁パネルを接続する壁パネル接続方法。
【発明の詳細な説明】
【０００１】
【発明の属する技術分野】
本発明は、壁パネル接続構造及び壁パネル接続方法に関する。
【０００２】
【従来の技術】
従来の壁パネル接続構造としては、図７乃至図１４に示すものがあった。このものは、図７のような浴室ユニットに用いられるものであり、床部材Ｆに略垂直に立ち上がる下部枠材１と、下部枠材１と略平行に設けられる上部枠材２と、下部枠材１と上部枠材２とをそれぞれに略直交してつなぐ図８乃至１０に示されるスタッド３と、下部枠材１と上部枠材２とをその両端でそれぞれに略直交してつなぐコーナースタッドＣを有するものであって、スタッド３とコーナースタッドＣは壁パネルと嵌合する嵌合部３ｂａ，Ｃａを有し、この嵌合部３ｂａ，Ｃａを用いて図１３及び図１４のように壁パネルＰを接続し、壁パネルＰ間に目地を入れるものであった。
【０００３】
また、施工時に施工する箇所の位置を調整するものとしては、ねじと長孔を用いる例があり、特開平１０−１０２８３２号公報には、パネルフェンスをフェンス支柱に取り付ける際にこのねじと長孔による位置調整を行うことについて開示されている。
【０００４】
【特許文献１】
特開平１０−１０２８３２号公報
【０００５】
【発明が解決しようとする課題】
従来の壁パネル接続構造は、壁パネルＰの施工が容易であり有用である。しかしながら、スタッド３は、下部枠材１と上部枠材２に設けた罫書き線（図示せず）に合わせて、その上部においては図１１に示すように、ねじＳ１を孔３ｂｂを通して上部枠材２のねじ孔２ａに螺合することにより固定され、その下部においては図１２に示すように、ねじＳ２を孔３ｃａと下部枠材１に設けられた孔とを通してねじ孔３ｂｃに螺合することにより固定する。そのため、罫書き線の位置がずれたり、ねじ止めするときのねじ位置がずれたときには、スタッド３の位置がずれてしまい、壁パネルＰが嵌合部３ａ，Ｃａに嵌らなくなったり、壁パネルＰが嵌る状態であっても、目地が嵌らなくなる可能性があった。
【０００６】
また、特開平１０−１０２８３２号公報に示されるような、ねじと長孔を用いる位置調整は、スタッド３のように２箇所で接続するものに適用すると、ねじと長孔を用いた位置調整部を２つ設ける必要があり調整に手間がかかる。
【０００７】
本発明は、上記事由に鑑みてなしたもので、その目的とするところは、施工が容易な壁パネル接続構造と壁パネル接続方法を提供することにある。
【０００８】
【課題を解決するための手段】
請求項１に係る発明は、床部材から略垂直に立ち上がる下部枠材と、下部枠材と略平行に設けられる上部枠材と、下部枠材と上部枠材とをそれぞれに略直交してつなぐスタッドとを有するものであって、スタッドは壁パネルと嵌合する嵌合部を有し、この嵌合部を用いて壁パネルを接続する壁パネル接続構造において、下部枠材とスタッドとを水平方向のある程度の位置の範囲で互いに係合する係合部を有し、スタッドは、上部枠材に一端を接続して、前記係合部により下部枠材に係合して、上部枠材とスタッド一端との接続点を中心に回動して前記嵌合部と壁パネルの嵌合する位置が合うように位置を調整し、スタッドの両側に前記嵌合部を介して壁パネルを接続してなることを特徴としている。
【０００９】
したがって、壁パネルを嵌めるときに、スタッドを回動させ、スタッドの嵌合部と壁パネルの嵌合する位置が合うように位置調整ができるので、スタッドと壁パネルの嵌合する位置の位置ずれの発生を少なくし、施工が容易な壁パネル接続構造を提供することができる。また、位置ずれの発生を少なくできるので、下部枠材にスタッドの位置を示す罫書き線の位置の精度を低くすることができる。
【００１０】
請求項２に係る発明は、請求項１記載の壁パネル接続構造において、前記係合部は、係合部において固定する固定手段を有するものであることを特徴としている。
【００１１】
したがって、係合部において固定する固定手段を有して、係合部の位置関係を固定するので、外力の影響によるがたつきを少なくすることができる。
【００１２】
請求項３に係る発明は、請求項２記載の壁パネル接続構造において、前記固定手段は、ねじを有し、前記係合部は、このねじの外径よりも大きな貫通孔を有するものであることを特徴としている。
【００１３】
したがって、固定手段のねじの外径と貫通孔の水平方向の長さの差の範囲で下部枠材とスタッドとを互いに係合するので、その係合する範囲を定めることができる。
【００１４】
請求項４に係る発明は、請求項２記載の壁パネル接続構造において、前記固定手段は、前記係合部における摩擦力を用いるものであることを特徴としている。
【００１５】
したがって、固定手段は、下部枠材に孔を設けずに係合部において固定することができるので、防水性を高めることができる。
【００１６】
請求項５に係る発明は、床部材から略垂直に立ち上がる下部枠材と、下部枠材と略平行に設けられる上部枠材と、下部枠材と上部枠材とをそれぞれに略直交してつなぐスタッドとを有するものであって、スタッドは壁パネルと嵌合する嵌合部を有し、この嵌合部を用いて壁パネルを接続する壁パネル接続方法において、下部枠材とスタッドとを水平方向のある程度の位置の範囲で互いに係合する係合部を有し、スタッドは、上部枠材に一端を接続して、前記係合部により下部枠材に係合して、上部枠材とスタッド一端との接続点を中心に回動して前記嵌合部と壁パネルの嵌合する位置が合うように位置を調整し、スタッドの両側に前記嵌合部を介して壁パネルを接続することを特徴としている。
【００１７】
したがって、壁パネルを嵌めるときに、スタッドを回動させ、スタッドの嵌合部と壁パネルの嵌合する位置が合うように位置調整ができるので、スタッドと壁パネルの嵌合する位置の位置ずれの発生を少なくし、施工が容易な壁パネル接続方法を提供することができる。
【００１８】
【発明の実施の形態】
（第１の実施形態）
次に、請求項１乃至３と、請求項５の発明に係る一実施形態を図１乃至図３と、図７と、図９乃至図１１と、図１３と、図１４とを用いて説明する。このものは、図７に示すような浴室ユニットに用いられるものである。この浴室ユニットは、床部材Ｆと、コーナースタッドＣと、上部枠材２と、スタッド３を有して略直方体状に形成され、最終的に図１３に示すような壁パネルＰが接続される。
【００１９】
床部材Ｆは、上方から見て矩形に形成され、アジャスターボルトＡと、浴槽部ＦＢと、洗い場部ＦＷと、下部枠材１と、を有して構成される。アジャスターボルトＡは、床部材Ｆの下面に複数個設けられており、建物の躯体のコンクリート基部（図示せず）からの高さを調節し、床部材Ｆの水平度を調節するものである。浴槽部ＦＢは、浴槽が設置される凹部により形成され、図３に示すように、浴槽が載置される平面部である載置部Ｆａと、側面を構成する側面部Ｆｂと、上平面部Ｆｃを有して形成されている。洗い場部ＦＷは、浴槽部ＦＢの隣に設けられ、浴槽部ＦＢよりも浅い凹部により形成されている。
【００２０】
下部枠材１は、床部材Ｆの周縁に設けられるフランジであり、床部材Ｆから略垂直に立ち上がるように形成されている。例えば、浴槽部ＦＢ側においては、図３に示すように、上平面部Ｆｃの端部に略垂直に設けられている。このものは、コーナースタッドＣの下部をねじ止めして接続する。そして、このものは、ねじ孔１ａを有し、ねじ孔１ａと固定手段５のねじにより、スタッド３を固定する。
【００２１】
コーナースタッドＣは、床部材Ｆの四隅において下部枠材１に略垂直に設けられるものであり、その長さは、洗い場部ＦＷにおける浴室ユニットの内部の高さとして好適なように定められる。このものは、図１３に示すように、その断面が平板をその両側で２回折り曲げたような大略Ｃ字状に形成されており、背面部Ｃｄと、上部枠接続部Ｃｂ，Ｃｃと、嵌合部Ｃａ，Ｃａを有して構成されている。背面部Ｃｄは、床部材Ｆの角部に対向して設けられるものである。上部枠接続部Ｃｂ，Ｃｃは、それぞれが背面部Ｃｄと約４５°の角度を成すように形成され、互いに略直交するように設けられている。これらのものは、上部枠材２をねじ止めして上部枠材２を水平に支持する。嵌合部Ｃａ，Ｃａは、その端部が板材を複数回折り曲げたような形状にされており、上部枠接続部Ｃｂ，Ｃｃと直交するよりも内側に傾けられた状態で設けられている。そのため、これらのものは、壁パネルＰを嵌め込むときなどの外力により上部枠接続部Ｃｂ，Ｃｃと直交する方向に変形されると、変形の変位に応じて内側方向へ弾性力が生じるように構成されている。
【００２２】
上部枠材２は、薄板状に形成され、その長さは浴室ユニットの水平方向の長さとして好適なように定められる。このものは、上部枠接続部Ｃｂ，Ｃｃによりねじ止め固定され、下部枠材１と略平行に設けられる。このものは、図１１に示すようにねじ孔２ａを有しており、スタッド３の上端部の孔３ｂｂを通してねじＳ１を螺合することにより、スタッド３をねじＳ１を中心として回動できるように接続する。ここでは、ねじＳ１を締める強度により、スタッド３が回動できるように接続されるか、回動しないように接続されるかを決めることができるようにしている。また、このものは、壁パネルＰの取付面Ｐａをねじ止めすることにより、壁パネルＰと接続を固定する。
【００２３】
スタッド３は、従来例のスタッド３と孔３ｃａが貫通孔４ａに置き換わり、ねじ孔３ｂｃをなくした点が異なっておりその他は同じであるので、その上面図は図９を右側側面図は図１０を参照する。
【００２４】
スタッド３は、下部枠材１と上部枠材２とをそれぞれに略直交してつなぐものであり、スタッド主体３ａと、スタッド副体３ｂと、スタッド連結部材３ｃとを有して形成される。スタッド主体３ａは、断面が略コ字状に形成され、スタッド副体３ｂがそのコ字の凹部の中央に位置するように設けられる。つまり、このものは、正面から見た中心線がスタッド副体３ｂの中心線と一致するように凹部の表面に接して設けられる。そして、このものは、スタッド副体３ｂよりも短く形成されている。
【００２５】
スタッド副体３ｂは、断面がコ字状でコーナースタッドＣとほぼ同じ長さに形成されており、このコ字の対向辺を有さない部分である背面部３ｂｄがスタッド主体３ａに接続して固定される。そして、このものは、このコ字の対向辺を互いに有する部分がそれぞれ嵌合部３ｂａ，３ｂａを形成している。嵌合部３ｂａ，３ｂａは、壁パネルＰと嵌合するものであり、その端部が板材を複数回折り曲げたような形状に形成される。これらのものは、背面部３ｂｄに対して直交するよりも内側に傾いた状態で設けられている。そのため、これらのものは、壁パネルＰを嵌め込むときなどの外力により背面部３ｂｄと直交する方向に変形されると、変形の変位に応じて内側方向へ弾性力が生じるように構成されている。
【００２６】
また、スタッド副体３ｂは、その上端付近の中央に上部枠材２と接続するときにねじＳ１を通す孔３ｂｂを有している。そして、このものは、その背面部３ｂｄの内側面にスタッド連結部材３ｃが設けられている。
【００２７】
スタッド連結部材３ｃは、スタッド副体３ｂよりも厚い板状のものであり、それが２回異なる方向に曲げられたような形状をしている。このものは、その上端付近の接続部３ｃｂと下端付近の挟持部３ｃｃとが略平行になるように形成されている。このものは、接続部３ｃｂによりスタッド副体３ｂの下端付近に接続され、その接続されたときにスタッド副体３ｂとスタッド連結部材３ｃを左側側面から見ると、略ｈ字状となっている。このときの挟持部３ｃｃとスタッド副体３ｂとの間隔は下部枠材１の厚さよりも少し大きく設けられている。また、このものは、その挟持部３ｃｃに水平方向に長い長円状の貫通孔４ａを有している。この貫通孔４ａは、後述の固定手段５のねじの外径よりも大きくなるように設けられている。
【００２８】
壁パネルＰは、図１３及び図１４に示すように、接続部Ｐａと、壁面部Ｐｂと、裏面部Ｐｃと、バックハンガーＰｄを有して構成されている。接続部Ｐａは、壁パネルＰの上端に設けられ、上部枠材２にねじ止めするために用いられる。壁面部Ｐｂは、浴室の壁面となるものであり、壁面部Ｐｂと背面部Ｐｃにより直方体形状を形成している。この直方体形状の背面部Ｐｃ側には嵌合部３ｂａ，Ｃａと嵌合する部分が設けられている（図示せず）。そして、壁面部Ｐｂと、その内方に向けて突出した凸部Ｐｂａと、バックハンガーＰｄは、収納部Ｐｅを形成し、この収納部Ｐｅは、壁パネルＰを下部枠材１に接続するときに用いられる。また、壁パネルＰを下部枠材１に接続するときには、壁パネルＰの下端部と上平面部Ｆｃとの間にパッキンＦｄが設けられる。
【００２９】
また、この実施形態の壁パネルＰ接続構造は、係合部４を有する。この係合部４は、下部枠材１とスタッド３とを水平方向のある程度の位置の範囲で互いに係合するものであり、図３に示すように、スタッド３の下端部と下部枠材１の上端部と固定手段５とにより形成されている。このものは、ねじＳ１によりスタッド副体３ｂの上部の孔３ｂｂを通して、スタッド３を上部枠材２に回動自在に接続し、挟持部３ｃｃとスタッド副体３ｂとの間に下部枠材１が位置するようにすることにより構成される。固定手段５は、ねじであり、貫通孔４ａを通して下部枠材１に設けられたねじ孔１ａに螺合することにより係合部４において係合部４の位置関係を固定する。このような構成にすることにより、係合部４は、固定手段５であるねじが貫通孔４ａを通してねじ孔１ａに螺合できる状態のときに係合する。つまり、このものは、固定手段５のねじの外径と貫通孔４ａの水平方向の長さの差の程度の位置の範囲で係合するように定めることができる。
【００３０】
次に、この実施形態の壁パネルＰ接続方法について説明する。まず、図７においてスタッド３が接続されていない状態であるとする。ここで、スタッド３の上端部の孔３ｂｂを通してねじＳ１を螺合することにより、スタッド３をねじＳ１を中心として回動できるように接続する。そして、係合部４によりスタッド３を下部枠材１に係合させる（図２の手順▲１▼）。そして、上部枠材２とスタッド３の上部端との接続点（ねじＳ１）を中心にスタッド３を回動して嵌合部３ｂａと壁パネルＰの嵌合する位置が合うように位置を調整し（図２の手順▲２▼）、係合部４を固定手段５のねじにより固定する（図２の手順▲３▼）。そして、スタッド３の両側に嵌合部３ｂａを介して壁パネルＰを接続する。つまり、図１４に示すように壁パネルＰの収納部Ｐｅに下部枠材１を収納するようにかぶせ、図１３に示すように、嵌合部３ｂａ，Ｃａにより壁パネルＰを嵌合して接続する。そして、壁パネルＰは、その接続部Ｐａを上部枠材２にねじ止めして固定する。そして、壁パネルＰの間に目地を嵌め込んで施工を終了する。
【００３１】
このように、第１の実施形態においては、壁パネルＰを嵌めるときに、スタッド３を回動させ、スタッド３の嵌合部３ｂａと壁パネルＰの嵌合する位置が合うように位置調整ができるので、スタッド３と壁パネルＰの嵌合する位置の位置ずれの発生を少なくし、施工が容易な壁パネル接続構造を提供することができる。また、位置ずれの発生を少なくできるので、下部枠材１にスタッド３の位置を示すための罫書き線の位置の精度を低くすることができる。また、係合部４において固定する固定手段５を有して、係合部４の位置関係を固定するので、外力の影響によるがたつきを少なくすることができる。また、固定手段５のねじの外径と貫通孔４ａの水平方向の長さの差の範囲で下部枠材１とスタッド３とを互いに係合するので、その係合する範囲を定めることができる。
【００３２】
（第２の実施形態）
次に、同じく請求項１乃至３と、請求項５の発明に係る一実施形態を図４と、図５とを用いて説明する。このものは、第１の実施形態と下部枠材１のねじ孔１ａが貫通孔４ｂとした点と、スタッド副体３ｂにねじ孔３ｂｃを設けた点と、固定手段５のねじの螺合する対象をねじ孔３ｂｃにした点が異なっており、その他は第１の実施形態と同じである。
【００３３】
貫通孔４ｂは、図４に示すように、下部枠材１に固定手段５のねじの外径よりも大きい円形状に設けられている。固定手段５のねじは、図５に示すように、貫通孔４ａ，４ｂとを通ってねじ孔３ｂｃに螺合する。このものは、ねじを締めることにより、挟持部３ｃｃとスタッド副体３ｂの間隔が狭まり、下部枠材１を挟持して固定する。よって、固定手段５のねじの外径と貫通孔４ｂの水平方向の長さの差の程度の位置の範囲で係合するように定めることができる。
【００３４】
このように、第２の実施形態においても第１の実施形態と同様の作用と効果を得ることができる。
【００３５】
（第３の実施形態）
次に、請求項１と、請求項２と、請求項４と、請求項５の発明に係る一実施形態を図６を用いて説明する。このものは、第１の実施形態と係合部４に孔を設けることなく、固定手段５を有する点が異なっており、その他は第１の実施形態と同じである。
【００３６】
このものは、挟持部３ｃｃとスタッド副体３ｂとの間隔が下部枠材１の厚さよりも少し狭くされており、係合部４は、この間隔を外力により広くして下部枠材１を挟むことにより係合する。このような構成にすることにより、挟持部３ｃｃとスタッド副体３ｂとの間には間隔を狭める方向の弾性力が生じるので、挟持部３ｃｃ及びスタッド副体３と下部枠材１の接触面に摩擦力が生じ、係合部４を固定する。つまり、固定手段５は、係合部４における摩擦力を用いるものとなっている。
【００３７】
この係合部４は、正面から見てスタッド３と下部枠材１とが重なり合うときに係合し、例えば木槌などで側面をたたくことによって、固定される位置を調整することができる。
【００３８】
このように、第３の実施形態においては、固定手段５は、下部枠材１に孔を設けずに係合部４において固定することができるので、防水性を高めることができる。
【００３９】
なお、ここでは、スタッド３が１つの例について示したが、スタッド３を複数有して、スタッド３間に壁パネルＰを接続するものであってもよい。また、ここでは、固定手段５を有するものについてのみ説明したが、それに限ることはなく、固定手段５以外の部分で固定してがたつきを許容できれば、固定手段５を用いなくても構成できる。
【００４０】
【発明の効果】
請求項１に係る発明によれば、壁パネルを嵌めるときに、スタッドを回動させ、スタッドの嵌合部と壁パネルの嵌合する位置が合うように位置調整ができるので、スタッドと壁パネルの嵌合する位置の位置ずれの発生を少なくし、施工が容易な壁パネル接続構造を提供することができる。また、位置が生じることを少なくできるので、下部枠材にスタッドの位置を示すための罫書き線の位置の精度を低くすることができる。
【００４１】
請求項２に係る発明によれば、請求項１記載の効果に加え、係合部において固定する固定手段を有して、係合部の位置関係を固定するので、外力の影響によるがたつきを少なくすることができる。
【００４２】
請求項３に係る発明によれば、請求項２記載の効果に加え、固定手段のねじの外径と貫通孔の水平方向の長さの差の範囲で下部枠材とスタッドとを互いに係合するので、その係合する範囲を定めることができる。
【００４３】
請求項４に係る発明によれば、請求項２記載の効果に加え、固定手段は、下部枠材に孔を設けずに係合部において固定することができるので、防水性を高めることができる。
【００４４】
請求項５に係る発明によれば、壁パネルを嵌めるときに、スタッドを回動させ、スタッドの嵌合部と壁パネルの嵌合する位置が合うように位置調整ができるので、スタッドと壁パネルの嵌合する位置の位置ずれの発生を少なくし、施工が容易な壁パネル接続方法を提供することができる。
【図面の簡単な説明】
【図１】第１の実施形態のスタッドの構成を示す正面図である。
【図２】第１の実施形態のスタッドと下部枠材との接続手順を示す斜視図である。
【図３】第１の実施形態のスタッドと下部枠材との接続状態を示す左側側面図である。
【図４】第２の実施形態のスタッドの構成とスタッドと下部枠材との接続手順を示す斜視図である。
【図５】第２の実施形態のスタッドと下部枠材との接続状態を示す左側側面図である。
【図６】第３の実施形態のスタッドの構成とスタッドと下部枠材との接続状態を示す左側側面図である。
【図７】壁パネル接続構造が用いられる浴室ユニットを示す斜視図である。
【図８】従来例のスタッドの構成を示す正面図である。
【図９】従来例のスタッドの構成を示す上面図である。
【図１０】従来例のスタッドの構成を示す右側側面図である。
【図１１】スタッドと上部枠材との接続部Ｊ１を示す斜視図である。
【図１２】従来例のスタッドと下部枠材との接続部Ｊ２を示す斜視図である。
【図１３】壁パネルの嵌合部への接続を示す斜視図である。
【図１４】壁パネルの下部枠材への接続を示す右側側面図である。
【符号の説明】
１      下部枠材
２      上部枠材
３      スタッド
３ｂａ  嵌合部
４      係合部
４ａ    貫通孔
４ｂ    貫通孔
５      固定手段
Ｆ      床部材
Ｐ      壁パネル
Ｃ      コーナースタッド
【図１】
2004183235.tif 000003
【図２】
2004183235.tif 000004
【図３】
2004183235.tif 000005
【図４】
2004183235.tif 000006
【図５】
2004183235.tif 000007
【図６】
2004183235.tif 000008
【図７】
2004183235.tif 000009
【図８】
2004183235.tif 000010
【図９】
2004183235.tif 000011
【図１０】
2004183235.tif 000012
【図１１】
2004183235.tif 000013
【図１２】
2004183235.tif 000014
【図１３】
2004183235.tif 000015
【図１４】
2004183235.tif 000016